(57)【特許請求の範囲】
【請求項１】
平面視略円形の栓本体を備え、栓本体が容器本体の一端部に形成された開口部を閉塞する状態で、前記容器本体内に収納されている略円盤状の錠剤を振出すための振出孔が形成された錠剤容器の中栓において、
前記振出孔は、
前記栓本体の円周縁の内側を描く円弧とこれに連続する直線とにより囲まれた平面視略扇形をなし、
該平面視略扇形の内側に描かれた内接円と前記平面視略扇形の辺及び円弧との接点に基づく位置に、前記内接円の同心状に配された前記錠剤の振出しに対して抵抗を与えるための複数の突起が形成され、
前記複数の突起は、前記接点を中心として、該接点を有する前記平面視略扇形の辺に沿った方向にずらされ、且つ、いずれかの部分が前記接点と前記内接円の中心とを結ぶ直線と接する位置に形成されていることを特徴とする取出孔を有する錠剤容器の中栓。
【請求項２】
前記振出孔は、平面視略扇形の隅部が丸められていることを特徴とする請求項１に記載の取出孔を有する錠剤容器の中栓。
【請求項３】
前記振出孔は、前記円弧部分と前記栓本体の円周縁との間に、容器内の錠剤充填率が低い時に錠剤の出方を抑制するための邪魔板部分が形成されていることを特徴とする請求項１又は２に記載の取出孔を有する錠剤容器の中栓。
【発明の詳細な説明】
【技術分野】
【０００１】
本発明は、平面視略円形の栓本体を備え、栓本体が容器本体の一端部に形成された開口部を閉塞する状態で、容器本体内に収納されている略円盤状の錠剤を振出すための振出孔が形成された取出孔を有する錠剤容器の中栓に関する。
【背景技術】
【０００２】
従来、錠剤は、錠剤容器に収納されている。錠剤容器は、一端部に開口部が形成され、開口部は、中栓が取り付けられている。中栓は、一部に振出孔が形成されている。錠剤は、錠剤容器が傾け又は倒立されることにより、中栓の振出孔を介して外部に振り出る。
【０００３】
錠剤は、錠剤容器から所定の服用数が勢い飛び出た場合、余剰分が錠剤容器に戻される。このとき、容器に戻される錠剤は、利用者の手に触れ、雑菌が付着するおそれがあり、衛生的に問題がある。また、利用者の手が濡れていた場合、水分を吸収することにより、一部が変色したり、他の錠剤と固着したりするおそれがあり、品質に問題があるとして消費者から返品される場合があり得る。
【０００４】
そこで、従来、邪魔板などを取り付けることにより、振り出る錠剤の数を調整することができる錠剤容器の栓体が提案されている（例えば、特許文献１及び２）。
【先行技術文献】
【特許文献】
【０００５】
【特許文献１】特許第４７８４９６４号公報
【特許文献２】特許第４８４９３２１号公報
【発明の概要】
【発明が解決しようとする課題】
【０００６】
しかしながら、特許文献１及び２に記載の錠剤容器の栓体は、構造が複雑なため、製造費用が高いという問題を有する。
【０００７】
本発明はかかる事情を鑑みてなされたものであり、容器本体の中栓に錠剤を振り出すための振出孔を穿設し、この振出孔を平面視略扇形とし、この平面視略扇形の内側に描いた内接円とこの平面視略扇形の辺との接点に基づく位置に、錠剤の振り出しに対して抵抗を与えるための突起を複数設けることにより、錠剤容器から必要数の錠剤のみを振り出すようにでき、余剰分の錠剤を容器に戻すことによる衛生的及び品質的な問題を防ぐことができるとともに、複雑な構造を要することなく低廉な価格で製造することができる取出孔を有する錠剤容器の中栓を提供することを目的とする。
【課題を解決するための手段】
【０００８】
本発明に係る取出孔を有する錠剤容器の中栓にあっては、平面視略円形の栓本体を備え、栓本体が容器本体の一端部に形成された開口部を閉塞する状態で、前記容器本体内に収納されている略円盤状の錠剤を振出すための振出孔が形成された錠剤容器の中栓において、前記振出孔は、前記栓本体の円周縁の内側を描く円弧とこれに連続する直線とにより囲まれた平面視略扇形をなし、該平面視略扇形の内側に描かれた内接円と前記平面視略扇形の辺及び円弧との接点に基づく位置に、前記内接円の同心状に配された前記錠剤の振出しに対して抵抗を与えるための複数の突起が形成され、前記複数の突起は、前記接点を中心として、該接点を有する前記平面視略扇形の辺に沿った方向にずらされ、且つ、いずれかの部分が前記接点と前記内接円の中心とを結ぶ直線と接する位置に形成されていることを特徴とする。
【００１０】
また、本発明に係る取出孔を有する錠剤容器の中栓にあっては、前記振出孔は、平面視略扇形の隅部が丸められている構成であってもよい。
【００１１】
更にまた、本発明に係る取出孔を有する錠剤容器の中栓にあっては、前記振出孔は、前記円弧部分と前記栓本体の円周縁との間に、容器内の錠剤充填率が低い時に錠剤の出方を抑制するための邪魔板部分が形成されている構成であってもよい。
【００１２】
本発明は、中栓の本体に形成された振出孔の形状、及び、振出孔に設けられた突起により、振出孔から振り出る錠剤が規制され、余剰分の錠剤が振り出ることがないように調整することができる。
【発明の効果】
【００１３】
本発明は、錠剤容器から必要数の錠剤のみを振り出すようにでき、余剰分の錠剤を容器に戻すことによる衛生的及び品質的な問題を防ぐことができるとともに、複雑な構造を要することなく低廉な価格で製造することができる。
【図面の簡単な説明】
【００１４】
【図１】本発明に係る錠剤容器の中栓を示す図であり、（ａ）は錠剤容器の中栓を示す平面図、（ｂ）は錠剤容器の中栓を示す裏面図、（ｃ）は錠剤容器の中栓をＡ−Ａ方向に切断する断面図である。
【図２】図１とは異なる錠剤容器の中栓を示す図であり、（ａ）は錠剤容器の中栓を示す平面図、（ｂ）は錠剤容器の中栓を示す裏面図、（ｃ）は錠剤容器の中栓をＢ−Ｂ方向に切断する断面図である。
【図３】本発明に係る錠剤容器の中栓に穿設された振出孔を示す図であり、（ａ）は振出孔の内側に内接円を仮想的に描く状態を示す平面図、（ｂ）は振出孔の内側に描かれた内接円と振出孔の縁との接点に基づく位置に形成された複数の突起を示す図、（ｃ）は（ｂ）とは異なる位置に形成された複数の突起を示す図である。
【図４】本発明に係る錠剤容器の中栓の振出孔に形成された複数の突起を示す図であり、（ａ）は振出孔の内側に描かれた内接円と振出孔の縁との接点を中心とする位置に形成された複数の突起を示す図、（ｂ）はこの接点を中心とする位置から第一距離だけずらした位置に形成された複数の突起を示す図、（ｃ）はこの接点を中心とする位置から第一距離より長い第二距離だけずらした位置に形成された複数の突起を示す図である。
【発明を実施するための形態】
【００１５】
本発明に係る錠剤容器の中栓を本実施の形態を示す図面に基づいて以下説明する。図中において、１は、錠剤容器の中栓の栓本体である。錠剤容器は、多数の錠剤９を収納する容器本体を備える。容器本体は、一端部に形成された開口部を備える。開口部は、平面視略円形をなしている。
【００１６】
栓本体１は、平面視略円形の板部１０を備え、板部１０の円周部分から立ち上がる周壁部１１を備えている。また、栓本体１は、周壁部１１の頂部から外方に鍔状に延び出るリブ部１２を備える。リブ部１２は、「栓本体１の円周縁」に該当する。
【００１７】
栓本体１は、板部１０及び周壁部１１が容器本体の開口部に嵌まり込み、開口部を閉塞する。また、栓本体１は、リブ部１２の裏面が容器本体の開口部の縁に載置されて支持される。
【００１８】
また、栓本体１は、板部１０の一部に穿設された振出孔１３を備える。振出孔１３は、栓本体１の円周縁の内側を描く円弧部分１３０と、円弧部分１３０に連なる２本の直線１３１、１３１とにより囲まれた平面視略扇形をなしている。振出孔１３は、錠剤容器に収納されている錠剤９を外部に振り出すための孔である。振出孔１３の形状及び寸法については、後述にて説明する。
【００１９】
また、振出孔１３は、平面視略扇形の辺から円の中心に向かって突き出る突起１４を備える。突起１４は、錠剤容器から外部に振り出される錠剤９に対して抵抗を与えるものであり、１回の振出数が所定の服用数となるように調整する部材である。突起１４の位置及び寸法については、後述にて説明する。また、本発明において、「所定の服用数」は、１錠以上３錠以下の範囲を想定している。
【００２０】
また、振出孔１３は、平面視略扇形が有する隅部１３２が丸められてアール形状をなしている。隅部１３２の丸めについては、後述にて説明する。
【００２１】
以上のとおり、本発明に係る錠剤容器の中栓は、単純な構造であるが、振出孔１３の形状及び大きさが最適化されているため、１回の振出数が所定の服用数となるように調整することができる。かかる最適化は、以下に挙げる試験により得たデータに基づいてなされたものであり、発明者の鋭意努力により得たものである。
【００２２】
（振出孔１３の形状について）
栓本体１の振出孔１３の形状について、「平面視略丸形」、「平面視略四角形」、「平面視略扇形」及び「平面視略半月形」を検討する。本発明の試験に使用する錠剤９は、略円盤状をなし、平面視最大直径が９．０ｍｍであり且つ断面視最大厚みが５．１ｍｍである。また、試験は、図３及び図４に示すように、錠剤９が円盤のアール面（厚み方向を向く面）を向くように振出孔１３から振り出た場合の結果を測定するものとする。
【００２３】
試験は、容器本体内の錠剤９の充填率を「１００％（８００錠）」、「５０％（４００錠）」及び「１０％（８０錠）」の場合に分類し、各充填率において、錠剤容器を１回振った（１回の振出操作）ときの錠剤９の振出数を計測する。試験は、３名の試験者が振出操作を１０回行い、その平均値を評価値とする。結果は、以下の表１に示すとおりである。
【００２４】
【表１】
0005616933.tif 000002
【００２５】
表１に依れば、振出孔１３が平面視略扇形をなす場合、各充填率とも振出数が１錠以上３錠以下の範囲内となっている（表１の網掛け領域参照）。従って、錠剤容器の中栓の振出孔１３の形状は、「平面視略扇型」が最適である。
【００２６】
（振出孔１３の大きさについて）
試験は、平面視略扇形の振出孔１３について、基本の高さ寸法を「１９ｍｍ」とし、角度を「４５°」、「５０°」、「５５°」、「６０°」及び「６５°」に分類し、各角度において錠剤容器を１回振ったときの錠剤９の振出数を計測する。また、試験は、容器本体内の錠剤９の充填率を「１００％（８００錠）」、「５０％（４００錠）」及び「１０％（８０錠）」に分類し、各充填率において、錠剤容器を１回振ったときの錠剤９の振出数を計測する。試験は、３名の試験者が振出操作を１０回行い、平均値を評価値とする。その結果は、以下の表２に示すとおりである。
【００２７】
【表２】
0005616933.tif 000003
【００２８】
表２に依れば、平面視略扇型の角度が小さい場合、充填率１００％のときの錠剤９の振り出しが悪く、詰まり易い傾向にある。一方、角度が大きい場合、錠剤９の振り出しが良くなりすぎ、所定の服用数を超えて錠剤９が振り出ることが判明した。また、充填率１０％の場合、角度が小さいときであっても、１回の振出操作で複数の錠剤９が振り出ることが判明した。
【００２９】
（突起１４について）
錠剤９が振出孔１３に詰まることなく、且つ、いずれの充填率であっても、１回の振出数を「１錠」に近づけるための工夫を検討する。錠剤９を振り出したところ、振り出た直後の錠剤９の後ろに、複数の錠剤９が存在し、順次に振り出ることが確認された。この観点に基づき、錠剤９が所定の服用数を超えて振り出ることがないように工夫する。また、充填率が１０％の場合であっても、錠剤９の振り出し数が多くならないように工夫する。
【００３０】
そこで、錠剤９の振り出しに対して抵抗を与える突起１４を振出孔１３に設けることとし、当該構成が効果的であるか否かを確認する。
【００３１】
具体的には、突起１４は、以下のように設けられる。平面視略扇形の振出孔１３の内側には内接円２が描かれ（図１（ａ）及び図２（ａ）参照）、描かれた内接円２の同心状に錠剤９が置かれる（図３及び図４参照）。
【００３２】
内接円２と振出孔の辺（円弧部分１３０及び直線部分１３１）とが接する接点２０を定め、定めた接点２０を中心とする位置から内接円２の中心に向かって、複数の突起１４を設ける（図１（ａ）参照）。突起１４は、突出長さが、内接円の同心状に配された錠剤９の円周縁に接触する程度となる（図３（ｂ）参照）。突起１４は、錠剤９の振り出しに対して抵抗を与えることができ、１回の振出操作で必要数以上に錠剤９が振り出ることがないように規制する。
【００３３】
また、突起１４は、三方向から突き出ることにより、錠剤９が円盤の側周面（径方向）を向いて振り出る場合であっても、図３（ｃ）に示すように、錠剤９が３方向から同時に振り出されようとしたとき、中央で錠剤９同士が交わるため、１回の振出操作で必要数以上に錠剤９が振り出ることがないように規制する（図３（ｃ）参照）。
【００３４】
円弧部分１３０から突き出る突起１４は、錠剤９の振り出しに対して特に抵抗を与えることができ、充填率１０％の場合であっても、所定の服用数を超えて錠剤９が振り出ることがないように規制する（図３（ｃ）参照）。
【００３５】
また、平面視略扇形の振出孔１３は、穿設加工が行いやすく、製造費用の低減につながるため、図１乃至４に示すように、隅部１３２が丸められている。また、振出孔１３は、隅部１３２が丸められることにより、径方向の高さ寸法Ｘが若干短くなる。基本の高さ寸法Ｘと丸みを付けた後の高さ寸法Ｘとの関係は、以下の表３に示すとおりである。
【００３６】
【表３】
0005616933.tif 000004
【００３７】
突起１４の効果を確認するための試験は、平面視略扇形の振出孔１３について、丸みを付けた後の高さ寸法を「１７．１ｍｍ」（基本の高さ寸法が１９ｍｍ）とし、角度を「５２°」、「５８°」及び「６５°」に分類し、各角度において錠剤容器を１回振ったときの錠剤９の振出数を計測する。
【００３８】
また、試験は、容器本体内の錠剤９の充填率を「１００％（８００錠）」、「５０％（４００錠）」及び「１０％（８０錠）」に分類し、各充填率において、錠剤容器を１回振ったときの錠剤９の振出数を計測する。試験は、３名の試験者が振出操作を１０回行い、平均値を評価値とする。結果は、以下の表４（突起ある場合）乃至５（突起が無い場合）に示すとおりである。
【００３９】
【表４】
0005616933.tif 000005
【００４０】
【表５】
0005616933.tif 000006
【００４１】
表４乃至５に依れば、突起１４を振出孔１３に設けることにより、いずれの充填率であっても１回の振出数が安定することが判明した。
【００４２】
また、突起１４の先端が錠剤９の円周縁に接触しない場合であっても、各充填率における１回の振出数がある程度安定することが判明した。但し、平面視略扇形の振出孔１３の角度が大きい場合は、充填率１０％の時に、１回の振出数が所定の服用数を超えることが判明した。仍って、錠剤９の振り出しに対して抵抗を与える突起１４を振出孔１３に設けることは効果的である。
【００４３】
（邪魔板部分１５について）
上述する試験の結果が示すとおり、平面視略扇形の振出孔１３の角度が大きく、且つ、錠剤９の充填率が低い場合、１回の振出数が多く不安定となる。そこで、錠剤９の充填率が低くなる場合であっても、錠剤９の振出数を安定することができるように工夫する。
【００４４】
そこで、振出孔１３の円弧部分１３０と栓本体１の円周縁との間に、錠剤９の振出数を抑制する邪魔板部分１５を設けることとし、当該構成が効果的であるか否かを確認する。
【００４５】
具体的には、邪魔板部分１５は、振出孔１３の円弧部分１３０と栓本体１の円周縁との間に形成されている（図１及び図２参照）。
【００４６】
邪魔板部分１５の効果を確認するための試験は、容器本体内の錠剤９の充填率を「１０％」とし、その場合の錠剤９の振出数を計測する。また、平面視略扇形の振出孔１３の角度を「６５°」とし、この条件で錠剤容器を１回振ったときの錠剤９の振出数を計測する。試験は、３名の試験者が振出操作を１０回行い、その平均値を評価値とする。結果は、以下の表６に示すとおりである。
【００４７】
【表６】
0005616933.tif 000007
【００４８】
表６に依れば、邪魔板部分１５は、高さ寸法Ｙが１ｍｍから３ｍｍに変化するに応じて、好適な効果を得ることができるが、４ｍｍに達した場合に、全く効果を得られないことが判明した。これについて考察したところ、４ｍｍの高さ寸法Ｙを有する邪魔板部分１５は、振り出ようとする錠剤９を堰止めている。そして、別の錠剤９が堰止められた錠剤９を乗り越える格好で邪魔板部分１５に邪魔されることなく振り出ており、邪魔板部分１５は、何らかの効果を奏していない。仍って、振出孔１３の円弧部分１３０と栓本体１の円周縁との間に、高さ寸法Ｙが１乃至３ｍｍ程度の邪魔板部分１５を設けることは効果的である。
【００４９】
（総合的試験）
総合的試験は、１回の振出数を「１錠」とし、平面視略扇形の振出孔１３の高さ寸法Ｘ、角度、突起１４の突出位置及び邪魔板部分１５の高さ寸法Ｙ、それぞれの限界点を確認することを目的とする。
【００５０】
具体的には、平面視略扇形の振出孔１３の高さ寸法Ｘについて、「１９ｍｍ」（丸みを付けた後の高さ寸法１７．１ｍｍ）を基準として、高さ寸法Ｘの上限及び下限を確認する。
【００５１】
また、平面視略扇形の振出孔１３の角度について、錠剤９と突起１４とが接触する角度を基準とし、角度の上限及び下限を確認する。また、邪魔板部分１５の高さ寸法Ｙについて、１乃至３ｍｍの間で錠剤９の振出具合を確認する。
【００５２】
また、突起１４の突出位置について、振出孔１３の内接円２の接点２０を中心とする位置から突出する形態（図１（ａ）及び図４（ａ）参照）と、接点２０を中心とする位置から第一距離Ｍだけずらした位置から突出する形態（図２（ａ）及び図４（ｂ）参照）と、接点２０を中心とする位置から第二距離Ｎだけずらした位置から突出する形態（図４（ｃ）参照）との間で、錠剤９の振出具合を確認する。
【００５３】
ここで、第一距離Ｍとは、突起１４が接点２０を中心として平面視略扇形の振出孔１３の円弧部分１３０に沿った方向にずらされた状態であって且つ突起１４のいずれかの部分が接点２０と内接円２の中心とを仮想的に結ぶ直線１３３と接する距離をいう（図２（ａ）及び図４（ｂ）参照）。また、第二距離Ｎとは、第一距離Ｍより長く、突起１４が接点２０を中心として平面視略扇形の振出孔１３の円弧部分１３０に沿った方向にずらされた状態であって且つ突起１４のいずれの部分も直線１３３と接することができない距離をいう（図４（ｃ）参照）。
【００５４】
総合的試験は、容器本体内の錠剤９の充填率を「１００％（８００錠）」、「５０％（４００錠）」及び「１０％（８０錠）」の場合に分類し、各充填率において、錠剤容器を１回振ったときの錠剤９の振出数を計測する。総合的試験は、３名の試験者が振出操作を１０回行い、その平均値を評価値とする。なお、総合的試験において、１回の振出数が「１錠」となる結果を高評価とする。また、一般的な「服用数」が１乃至３錠であることから、１回の振出数が３錠以下となる結果についても評価する。
【００５５】
実施例１.
突起１４を振出孔１３の内接円２の接点２０を中心として突出させる形態（図１（ａ）及び図４（ａ）参照）において、１回の振出数が「１錠」となる結果は、以下の表７乃至２５に示すとおりである。なお、以下の表において、右下がりの網掛け領域は、１回の振出数が０．７錠以上１．３錠以下の範囲を示し、左下がりの網掛け領域は、１回の振出数が２．７錠以上３．３錠以下の範囲を示す。
【００５６】
（結果の集約）
【表７】
0005616933.tif 000008
【００５７】
【表８】
0005616933.tif 000009
【００５８】
【表９】
0005616933.tif 000010
【００５９】
【表１０】
0005616933.tif 000011
【００６０】
【表１１】
0005616933.tif 000012
【００６１】
【表１２】
0005616933.tif 000013
【００６２】
【表１３】
0005616933.tif 000014
【００６３】
【表１４】
0005616933.tif 000015
【００６４】
【表１５】
0005616933.tif 000016
【００６５】
【表１６】
0005616933.tif 000017
【００６６】
【表１７】
0005616933.tif 000018
【００６７】
【表１８】
0005616933.tif 000019
【００６８】
【表１９】
0005616933.tif 000020
【００６９】
【表２０】
0005616933.tif 000021
【００７０】
【表２１】
0005616933.tif 000022
【００７１】
【表２２】
0005616933.tif 000023
【００７２】
【表２３】
0005616933.tif 000024
【００７３】
【表２４】
0005616933.tif 000025
【００７４】
【表２５】
0005616933.tif 000026
【００７５】
実施例２．
また、突起１４を振出孔１３の内接円２の接点２０を中心とする位置から第一距離Ｍだけずらした位置から突出させる形態（図２（ａ）及び図４（ｂ）参照）において、１回の振出数が「１錠」となる結果は、以下の表２６乃至４４に示すとおりである。
【００７６】
（結果の集約）
【表２６】
0005616933.tif 000027
【００７７】
【表２７】
0005616933.tif 000028
【００７８】
【表２８】
0005616933.tif 000029
【００７９】
【表２９】
0005616933.tif 000030
【００８０】
【表３０】
0005616933.tif 000031
【００８１】
【表３１】
0005616933.tif 000032
【００８２】
【表３２】
0005616933.tif 000033
【００８３】
【表３３】
0005616933.tif 000034
【００８４】
【表３４】
0005616933.tif 000035
【００８５】
【表３５】
0005616933.tif 000036
【００８６】
【表３６】
0005616933.tif 000037
【００８７】
【表３７】
0005616933.tif 000038
【００８８】
【表３８】
0005616933.tif 000039
【００８９】
【表３９】
0005616933.tif 000040
【００９０】
【表４０】
0005616933.tif 000041
【００９１】
【表４１】
0005616933.tif 000042
【００９２】
【表４２】
0005616933.tif 000043
【００９３】
【表４３】
0005616933.tif 000044
【００９４】
【表４４】
0005616933.tif 000045
【００９５】
実施例３．
また、突起１４を振出孔１３の内接円２の接点２０を中心とする位置から第二距離Ｎだけずらした位置から突出させる形態（図４（ｃ）参照）において、１回の振出数が「１錠」となる結果は、以下の表４５乃至４７に示すとおりであり、計測困難であり、１回の振出数が不安定な状態となる。
【００９６】
【表４５】
0005616933.tif 000046
【００９７】
【表４６】
0005616933.tif 000047
【００９８】
【表４７】
0005616933.tif 000048
【００９９】
実施例４．
また、突起１４を振出孔１３の内接円２の接点２０を中心とする位置から突出させる形態（図１（ａ）及び図４（ａ）参照）において、１回の振出数が「３錠」以下となる結果は、以下の表４８及び上述の表８乃至２５に示すとおりである。
【０１００】
【表４８】
0005616933.tif 000049
【０１０１】
実施例５．
また、突起１４を振出孔１３の内接円２の接点２０を中心とする位置から第一距離Ｍだけずらした位置から突出させる形態（図２（ａ）及び図４（ｂ）参照）において、１回の振出数が「３錠」以下となる結果は、以下の表４９及び上述の表２７乃至４４に示すとおりである。
【０１０２】
【表４９】
0005616933.tif 000050
【０１０３】
実施例６．
また、突起１４を振出孔１３の内接円２の接点２０を中心とする位置から第二距離Ｎだけずらした位置から突出させる形態（図４（ｃ）参照）において、１回の振出数が「３錠」以下となる結果は、上述の表４５乃至４７に示すとおりであり、計測困難であり、１回の振出数が不安定な状態となる。
【０１０４】
以上、総合的試験の結論は、突起１４を振出孔１３の内接円２の接点２０を中心とする位置から突出させる形態（図１（ａ）及び図４（ａ）参照）の場合、実施例４に示す範囲で設定するのが効果的である。また、突起１４を振出孔１３の内接円２の接点２０を中心とする位置から第一距離Ｍだけずらした位置から突出させる形態（図２（ａ）及び図４（ｂ）参照）の場合、実施例５に示す範囲で設定するのが効果的である。
【０１０５】
（錠剤９の厚みが異なる場合について）
上述する試験で使用する錠剤９は、断面視最大厚みが５．１ｍｍである。しかしながら、本発明は、これに限定されることなく、異なる厚みを有する錠剤９であってもよい。以下、上述する試験の結果が、異なる厚みの錠剤９においても有効であるか否かについて確認する。実施例７及び８の試験で使用する錠剤９は、断面視最大厚みが４．５５乃至５．５５ｍｍである。
【０１０６】
また、実施例７及び８の試験は、上述する試験と同様、容器本体内の錠剤９の充填率を「１００％（８００錠）」、「５０％（４００錠）」及び「１０％（８０錠）」に分類し、各充填率において、錠剤容器を１回振ったときの錠剤９の振出数を計測する。試験は、３名の試験者が振出操作を１０回行い、平均値を評価値とする。
【０１０７】
実施例７．
まず、表４８及び４９に示す最も錠剤９が振出し難いと考えられる最小、最大高さにおける最小角度の振出孔を選択し、１回の振出数が「１錠」となる結果は、以下の表５０乃至５１に示すとおりである。
【０１０８】
【表５０】
0005616933.tif 000051
【０１０９】
【表５１】
0005616933.tif 000052
【０１１０】
実施例７（１）．
突起１４を振出孔１３の内接円２の接点２０を中心として突出させる形態（図１（ａ）及び図４（ａ）参照）における詳細結果は、以下の表５２乃至５３に示すとおりである。
【０１１１】
【表５２】
0005616933.tif 000053
【０１１２】
【表５３】
0005616933.tif 000054
【０１１３】
実施例７（２）
また、突起１４を振出孔１３の内接円２の接点２０を中心とする位置から第一距離Ｍだけずらした位置から突出させる形態（図２（ａ）および図４（ｂ）参照）における詳細結果は、以下の表５４乃至５５に示すとおりである。
【０１１４】
【表５４】
0005616933.tif 000055
【０１１５】
【表５５】
0005616933.tif 000056
【０１１６】
表５０乃至５５に依れば、錠剤９の断面視最大厚みが「４．５５ｍｍ」の場合、平面視略扇形の振出孔１３の角度を最小にしたとき、錠剤９の振り出しが良くなりすぎて、１回の振出数が１錠を超えることが判明した。
【０１１７】
一方、錠剤９の断面視最大厚みが「５．５５ｍｍ」の場合、平面視略扇形の振出孔１３の高さ寸法Ｘ（丸みを付けた後）を「１９．４ｍｍ」としたときは、効果的であるが、高さ寸法Ｘを「１７．１ｍｍ」としたときは、角度が小さくなるに応じて、錠剤９の振り出しが悪く、取り出し難いことが判明した。
【０１１８】
以上、本試験の結論は、以下の表５６乃至５８に示すように、振出孔１３の高さ寸法Ｘを「１７．１ｍｍ」とし、振出孔１３の角度を表５０乃至５１の角度に２°足して「５８°」及び「５４°」とすることにより、錠剤９の断面視厚みが「５．５５ｍｍ」となる場合であっても、１回の振出数を少なくとも「１錠」確保することができることが判明した。
【０１１９】
【表５６】
0005616933.tif 000057
【０１２０】
【表５７】
0005616933.tif 000058
【０１２１】
【表５８】
0005616933.tif 000059
【０１２２】
実施例８．
続いて最小高さ、最大高さにおける最大角度での試験については、薄い錠剤の場合、多くの錠剤９振出されることが想定されたため、１回の振出数を「３錠」以下として評価した。結果は、以下の表５９乃至６０に示すとおりである。
【０１２３】
【表５９】
0005616933.tif 000060
【０１２４】
【表６０】
0005616933.tif 000061
【０１２５】
実施例８．（１）
突起１４を振出孔１３の内接円２の接点２０を中心として突出させる形態（図１（ａ）及び図４（ａ）参照）における詳細結果は、以下の表６１乃至６２に示すとおりである。
【０１２６】
【表６１】
0005616933.tif 000062
【０１２７】
【表６２】
0005616933.tif 000063
【０１２８】
実施例８（２）
また、突起１４を振出孔１３の内接円２の接点２０を中心とする位置から第一距離Ｍだけずらした位置から突出させる形態（図２（ａ）および図４（ｂ）参照）における詳細結果は、以下の表６３乃至６４に示すとおりである。
【０１２９】
【表６３】
0005616933.tif 000064
【０１３０】
【表６４】
0005616933.tif 000065
【０１３１】
表５９乃至６０及び表６１乃至６４に依れば、全ての条件において、１回の振出数が「３錠」以下に抑えることができることが判明した。
【０１３２】
（錠剤９の直径が異なる場合について）
上述する試験で使用する錠剤９は、平面視最大直径が９．０ｍｍである。しかしながら、本発明は、これに限定されることなく、異なる直径を有する錠剤９であってもよい。以下、上述する試験の結果が、異なる直径の錠剤９においても有効であるか否かについて確認する。以下の実施例９の試験で使用する錠剤９は、平面視最大直径が「６ｍｍ」と「８ｍｍ」とであり、振出孔については、「９mm」の錠剤で設定した平面視略扇形の形状、大きさを「６mm」と「８mm」の錠剤に対して、相似形で縮小したものを用いた。
【０１３３】
また、実施例９の試験は、上述する試験と同様、容器本体内の錠剤９の充填率を「６mm」の場合「１００％（２４００錠）」、「５０％（１２００錠）」及び「１０％（２４０錠）」とし、「８mm」の場合、「１００％（１１００錠）」、「５０％（５５０錠）」及び「１０％（１１０錠）」に分類し、各充填率において、錠剤容器を１回振ったときの錠剤９の振出数を計測する。試験は、３名の試験者が振出操作を１０回行い、平均値を評価値とする。
【０１３４】
実施例９．
実施例９（１）．
突起１４を振出孔１３の内接円２の接点２０を中心として突出させる形態（図１（ａ）及び図４（ａ）参照）における結果は、以下の表６５乃至６６に示すとおりである。
【０１３５】
【表６５】
0005616933.tif 000066
【０１３６】
【表６６】
0005616933.tif 000067
【０１３７】
実施例９（２）．
また、突起１４を振出孔１３の内接円２の接点２０を中心とする位置から第一距離Ｍだけずらした位置から突出させる形態（図２（ａ）及び図４（ｂ）参照）における結果は、以下の表６７乃至６８に示すとおりである。
【０１３８】
【表６７】
0005616933.tif 000068
【０１３９】
【表６８】
0005616933.tif 000069
【０１４０】
表６５乃至６８に依れば、錠剤９の平面視最大直径が異なる場合であっても、上述する試験の結果と略同じであることが判明した。
【０１４１】
以上、本試験の結論は、錠剤９の平面視最大直径が異なる場合、振出孔１３の高さ寸法及び角度と、邪魔板部分１５の高さ寸法と、突起１４の突出位置及び大きさについて、平面視最大直径「９．０ｍｍ」のときのものを基準として、相似形となる振出孔１３を形成することで対応することができることが判明した。
【０１４２】
なお、突起１４を振出孔１３の内接円２の接点２０を中心とする位置から突出させる形態の場合に、実施例４に示す範囲を設定する一例（総合的試験の結果を参照）として、標準値と考える表６９に示す値に基づき設定した錠剤容器の中栓を示す図を図１として添付する。また、突起１４を振出孔１３の内接円２の接点２０を中心とする位置から第一距離Ｍだけずらした位置から突出させる形態の場合、実施例５に示す範囲を設定する一例（総合的試験の結果を参照）として、標準値と考える表６９に示す値に基づき設定した錠剤容器の中栓を示す図を図２として添付する。
【０１４３】
【表６９】
0005616933.tif 000070
【符号の説明】
【０１４４】
１  栓本体
１０  板部
１１  周壁部
１２  リブ部
１３  振出孔
１３０  栓本体の円周縁の内側を描く円弧部分
１３１  栓本体の半径を描く直線部分
１３２  隅部
１３３  接点と内接円の中心とを仮想的に結ぶ直線
１４  突起
１５  邪魔板部分
２  内接円
２０  接点
９  錠剤
【図１】
0005616933.tif 000071
【図２】
0005616933.tif 000072
【図３】
0005616933.tif 000073
【図４】
0005616933.tif 000074